(57)【要約】【課題】可動式の仕切パネルで仕切ることによって設備用スペースを目隠しできるとともに、設備用スペース周囲のスペースを住人のライフスタイルに合わせて自由に仕切ることが可能な建物の間仕切り構造を提供することを目的とする。【解決手段】基準寸法であるモジュールＭに基づいて形成された建物は、対向する一対の壁２，３間に形成された第一空間１を備える。第一空間１は、直線状の廊下４と、廊下４の両側に配設される複数の設備用スペース５（６〜９）と、当該第一空間１内を移動可能な複数の仕切パネル１０（１０Ａ〜１０Ｅ）と、を有する。複数の設備用スペース５（６〜９）は、一対の壁２，３と複数の袖壁２ａ，３ａとによって平面視凹型の空間として形成され、隣り合う袖壁２ａ，３ａの突出方向先端部の間隔と複数の仕切パネル１０（１０Ａ〜１０Ｅ）の幅は、モジュールＭに基づいて設定されている。【選択図】図１
2015017394.tif 000002
【特許請求の範囲】
【請求項１】
基準寸法であるモジュールに基づいて形成された建物の間仕切り構造において、
前記建物は、対向する一対の壁間に形成された第一空間を備えており、
前記第一空間は、
当該第一空間の中央を、前記一対の壁の幅方向に沿って通過するようにして配設される直線状の廊下と、
前記廊下の両側に配設され、キッチンや水廻り等のための各種設備が設置される複数の設備用スペースと、
当該第一空間内を移動可能に設けられるとともに、当該第一空間を仕切る複数の仕切パネルと、を有しており、
前記複数の設備用スペースは、前記一対の壁と、当該一対の壁から突出する複数の袖壁とによって前記廊下側に開口する平面視凹型の空間として形成されており、
隣り合う前記袖壁の突出方向先端部の間隔と前記複数の仕切パネルの幅は、前記モジュールに基づいて設定されていることを特徴とする建物の間仕切り構造。
【請求項２】
請求項１に記載の建物の間仕切り構造において、
前記複数の仕切パネルは、前記第一空間内を、当該第一空間内に設けられたガイドレールに沿ってスライド移動自在とされていることを特徴とする建物の間仕切り構造。
【請求項３】
請求項１または２に記載の建物の間仕切り構造において、
前記複数の仕切パネルは、前記第一空間内において水平回転可能とされていることを特徴とする建物の間仕切り構造。
【請求項４】
請求項１〜３のいずれか一項に記載の建物の間仕切り構造において、
前記仕切パネルは、当該仕切パネルの表裏を連通するための機能を有することを特徴とする建物の間仕切り構造。
【請求項５】
請求項１〜４のいずれか一項に記載の建物の間仕切り構造において、
前記廊下の中央に、前記一対の壁と対向する間仕切壁が設けられており、
前記複数の仕切パネルは、前記間仕切壁の周囲を移動可能に設けられていることを特徴とする建物の間仕切り構造。
【請求項６】
請求項１〜５のいずれか一項に記載の建物の間仕切り構造において、
前記建物は、前記第一空間に隣接する居室としての第二空間を備えており、
前記廊下の一端に前記第二空間が配置され、他端に玄関が配置されていることを特徴とする建物の間仕切り構造。
【発明の詳細な説明】
【技術分野】
【０００１】
本発明は、住宅等の建物の間仕切り構造に関する。
【背景技術】
【０００２】
従来、可動式の仕切パネルは、建物の中の大きな空間の部屋に設けておき、その部屋を会議や催し事の出席人数に合わせた大きさの空間に仕切る等して使用されている（例えば、特許文献１参照）。
また、特に住宅等の建物では、可動式の仕切パネルを使用して、部屋の一部を子供用や納戸等の他の目的のものに仕切ること等が行われていたが、それだけでなく、来客時の一時的な目隠しとして使用される場合もあった。
【先行技術文献】
【特許文献】
【０００３】
【特許文献１】特開２０１２−０６７５８１号公報
【発明の概要】
【発明が解決しようとする課題】
【０００４】
ところで、例えば単身者向けの比較的狭小なアパート等に多く見受けられるように、玄関から、奥の居室までの間に、キッチンや水廻り等を始めとする各種設備のための設備用スペースが配設される場合がある。
このような間取りの建物においては、来客時に設備用スペースを見られてしまうため、住人が体裁の悪さを感じる場合があった。また、来客時のみならず、通常の場合でも、設備用スペースが明け広げになっていると、体裁の悪さを感じてしまう場合があった。
また、設備用スペースを隠すために例えば間仕切壁を設置してしまうと、限られた広さの建物内のスペースを有効活用しにくい場合がある。
【０００５】
本発明の課題は、可動式の仕切パネルで仕切ることによって設備用スペースを目隠しできるとともに、設備用スペース周囲のスペースを住人のライフスタイルに合わせて自由に仕切ることが可能な建物の間仕切り構造を提供することを目的とする。
【課題を解決するための手段】
【０００６】
請求項１に記載の発明は、例えば図１〜図１０に示すように、基準寸法であるモジュール（Ｍ）に基づいて形成された建物の間仕切り構造において、
前記建物は、対向する一対の壁２，３間に形成された第一空間１を備えており、
前記第一空間１は、
当該第一空間１の中央を、前記一対の壁２，３の幅方向に沿って通過するようにして配設される直線状の廊下４と、
前記廊下４の両側に配設され、キッチンや水廻り等のための各種設備が設置される複数の設備用スペース５（６〜９）と、
当該第一空間１内を移動可能に設けられるとともに、当該第一空間１を仕切る複数の仕切パネル１０（１０Ａ〜１０Ｅ）と、を有しており、
前記複数の設備用スペース５（６〜９）は、前記一対の壁２，３と、当該一対の壁２，３から突出する複数の袖壁２ａ，３ａとによって前記廊下４側に開口する平面視凹型の空間として形成されており、
隣り合う前記袖壁２ａ，３ａの突出方向先端部の間隔と前記複数の仕切パネル１０（１０Ａ〜１０Ｅ）の幅は、前記モジュール（Ｍ）に基づいて設定されていることを特徴とする。
【０００７】
請求項１に記載の発明によれば、前記複数の仕切パネル１０（１０Ａ〜１０Ｅ）を前記第一空間１内で移動させて、当該第一空間１を適宜仕切ることができる。すなわち、前記複数の仕切パネル１０（１０Ａ〜１０Ｅ）によって、前記廊下４と、当該廊下４の両側に配設される前記複数の設備用スペース５（６〜９）とを仕切ることができる。これにより、前記複数の仕切パネル１０（１０Ａ〜１０Ｅ）によって、前記複数の設備用スペース５（６〜９）に設置された前記キッチンや水廻り等のための各種設備を目隠しすることができる。また、前記複数の仕切パネル１０（１０Ａ〜１０Ｅ）による仕切り方次第で、前記第一空間１内を自由に仕切ることができるので、前記第一空間１を、住人のライフスタイルに合わせたものとすることができる。
また、前記隣り合う袖壁２ａ，３ａの突出方向先端部の間隔と前記複数の仕切パネル１０（１０Ａ〜１０Ｅ）の幅は、前記モジュール（Ｍ）に基づいて設定されているので、前記仕切パネル１０（１０Ａ〜１０Ｅ）を、前記隣り合う袖壁２ａ，３ａ間に亘るように配置すれば、前記仕切パネル１０（１０Ａ〜１０Ｅ）によって、平面視凹型に形成された前記設備用スペース５（６〜９）の開口を確実に覆って、当該設備用スペース５（６〜９）の内部を目隠しすることができる。
【０００８】
請求項２に記載の発明は、例えば図２〜図６に示すように、請求項１に記載の建物の間仕切り構造において、
前記複数の仕切パネル１０（１０Ａ〜１０Ｅ）は、前記第一空間１内を、当該第一空間１内に設けられたガイドレール１１に沿ってスライド移動自在とされていることを特徴とする。
【０００９】
請求項２に記載の発明によれば、前記複数の仕切パネル１０（１０Ａ〜１０Ｅ）を前記ガイドレール１１に沿って正確にスライド移動させて、前記第一空間１を仕切ることができる。また、前記複数の仕切パネル１０（１０Ａ〜１０Ｅ）を引戸のようにして使用できる。
【００１０】
請求項３に記載の発明は、例えば図１〜図１０に示すように、請求項１または２に記載の建物の間仕切り構造において、
前記複数の仕切パネル１０（１０Ａ〜１０Ｅ）は、前記第一空間１内において水平回転可能とされていることを特徴とする。
【００１１】
請求項３に記載の発明によれば、前記複数の仕切パネル１０（１０Ａ〜１０Ｅ）を、前記第一空間１内において水平回転させることで、当該複数の仕切パネル１０（１０Ａ〜１０Ｅ）を例えば開き戸等のように使用できるので、前記第一空間１内をバリエーション豊かに仕切ることができる。
【００１２】
請求項４に記載の発明は、例えば図７〜図９に示すように、請求項１〜３のいずれか一項に記載の建物の間仕切り構造において、
前記仕切パネル１０（１０Ａ〜１０Ｅ）は、当該仕切パネル１０（１０Ａ〜１０Ｅ）の表裏を連通するための機能を有することを特徴とする。
【００１３】
請求項４に記載の発明によれば、前記仕切パネル１０Ａ〜１０Ｅは、当該仕切パネル１０Ａ〜１０Ｅの表裏を連通するための機能を有するので、当該機能によって、前記仕切パネル１０Ａ〜１０Ｅの表側の空間と裏側の空間とを行き来できるようにしたり、空気を流通させたりすることができる。また、前記仕切パネル１０Ａ〜１０Ｅにこのような機能があれば、住人のライフスタイルに合わせた間仕切りが可能となるので好ましい。
【００１４】
請求項５に記載の発明は、例えば図１０に示すように、請求項１〜４のいずれか一項に記載の建物の間仕切り構造において、
前記廊下４の中央に、前記一対の壁２，３と対向する間仕切壁１２が設けられており、
前記複数の仕切パネル１０（１０Ａ〜１０Ｅ）は、前記間仕切壁１２の周囲を移動可能に設けられていることを特徴とする。
【００１５】
請求項５に記載の発明によれば、前記間仕切壁１２によって、前記廊下４の空間を、当該廊下４の一方の前記設備用スペース側の領域（例えば、一方の領域１ａ）と、他方の前記設備用スペース側の領域（例えば、他方の領域１ｂ）とに分けることができる。そして、前記複数の仕切パネル１０（１０Ａ〜１０Ｅ）を、前記間仕切壁１２の周囲を移動させることができるので、当該複数の仕切パネル１０（１０Ａ〜１０Ｅ）を、前記廊下４の一方の前記設備用スペース側の領域と、他方の前記設備用スペース側の領域の双方で使用できる。
【００１６】
請求項６に記載の発明は、例えば図２〜図６に示すように、請求項１〜５のいずれか一項に記載の建物の間仕切り構造において、
前記建物は、前記第一空間１に隣接する居室としての第二空間１３を備えており、
前記廊下４の一端に前記第二空間１３が配置され、他端に玄関１４が配置されていることを特徴とする。
【００１７】
請求項６に記載の発明によれば、前記廊下４の一端に前記第二空間１３が配置され、他端に玄関が１４配置されているので、例えば前記第一空間１と前記第二空間１３と前記玄関１４とで概略構成されるような比較的狭小な建物（住戸）であっても、前記第一空間１内を確実に仕切ることができる。
【発明の効果】
【００１８】
本発明によれば、可動式の仕切パネルで仕切ることによって設備用スペースを目隠しできるとともに、設備用スペース周囲のスペースを住人のライフスタイルに合わせて自由に仕切ることができる。
【図面の簡単な説明】
【００１９】
【図１】建物の間仕切り構造の概略を示す平面図である。
【図２】建物の間仕切り構造が適用される建物の一例を示す平面図である。
【図３】図２の建物における間仕切りパターンの一例を示す平面図である。
【図４】図２の建物における間仕切りパターンの一例を示す平面図である。
【図５】図２の建物における間仕切りパターンの一例を示す平面図である。
【図６】図２の建物における間仕切りパターンの一例を示す平面図である。
【図７】建物の間仕切り構造の概略を示す平面図である。
【図８】仕切パネルの変形例を示す斜視図である。
【図９】仕切パネルの変形例を示す斜視図である。
【図１０】仕切パネルの変形例を示す斜視図である。
【発明を実施するための形態】
【００２０】
以下、図面を参照して本発明の実施の形態について説明する。なお、図１〜図７の紙面上において上が北、下が南、左が西、右が東とされている。
【００２１】
図１において符号１は、第一空間を示す。この第一空間１は、基準寸法であるモジュール（Ｍ）に基づいて形成された建物に備えられている。また、この第一空間１は、対向する一対の壁２，３間に形成されている。
本実施の形態において、前記第一空間１は、直線状の廊下４と、複数の設備用スペース５〜９と、複数の仕切パネル１０と、を有する。
なお、モジュールとは、建物のあらゆる部分を一定の大きさの倍数関係に整える際の基準となる寸法をいい、特に限定されるものではないが、例えば８００ｍｍ、９００ｍｍ、９１０ｍｍ、１０００ｍｍ等の寸法がある。例えば、モジュールを９１０ｍｍとすると、ハーフモジュールは４４５ｍｍ、クォーターモジュールは２２７．５ｍｍとなる。本実施の形態のモジュール（Ｍ）は９１０ｍｍとされている。
【００２２】
廊下４は、第一空間１に対して、当該第一空間１の中央を、一対の壁２，３の幅方向に沿って通過するようにして配設されている。すなわち、第一空間１は中央を通過する当該廊下４を境にして、一方の領域１ａと他方の領域１ｂとにエリア分けされた状態となっている。
廊下４はの幅および長さはモジュールに基づいて設定されている。図１に示す廊下４の場合は、幅は１Ｍとされており、長さは３Ｍとされている。
【００２３】
複数の設備用スペース５〜９は、廊下４の両側に配設され、キッチンや水廻り等のための各種設備が設置されている。
また、当該複数の設備用スペース５〜９は、一対の壁２，３と、当該一対の壁２，３から突出する複数の袖壁２ａ，３ａとによって廊下４側に開口する平面視凹型の空間として形成されている。
隣り合う袖壁２ａ，２ａ（３ａ，３ａ）の平面視における突出方向先端部の間隔はモジュールに基づいて設定されている。図１に示す袖壁２ａ，２ａの場合は、設備用スペース５の部分においては２Ｍとされており、設備用スペース６の部分においては１Ｍとされている。また、袖壁３ａ，３ａの場合は、設備用スペース７，８，９の部分においてはそれぞれ１Ｍとされている。
【００２４】
複数の仕切パネル１０は、第一空間１内を移動可能に設けられるとともに、当該第一空間１を仕切る矩形板状のパネルである。なお、当該複数の仕切パネル１０の移動可能範囲は、廊下４内であり、より詳細には廊下４内の空間のうち、当該廊下４と複数の設備用スペース５〜９の境界までの範囲とされている。
複数の仕切パネル１０の幅はモジュールに基づいて設定されている。図１に示す複数の仕切パネル１０の場合は、幅は１Ｍとされている。
【００２５】
また、複数の仕切パネル１０は、第一空間１内を、例えば図１に示す各種矢印のように移動可能となっている。
すなわち、仕切パネル１０は、自身の幅方向に沿ってスライドしたり、自身の厚み方向に沿ってスライドしたり、水平回転したりすることができる。
そして、このように移動させることによって、図１において複数の設備用スペース７，８，９側にある複数の仕切パネル１０を、複数の設備用スペース５，６側に移動させることも可能となる。つまり、一方の領域１ａ側と他方の領域１ｂ側との間を自由に移動させることができる。
【００２６】
また、隣り合う袖壁２ａ，２ａ（３ａ，３ａ）の突出方向先端部の間隔と複数の仕切パネル１０の幅は、モジュールに基づいて設定されているので、仕切パネル１０を、隣り合う袖壁２ａ，２ａ（３ａ，３ａ）の突出方向先端部間に亘るように配置すれば、当該仕切パネル１０によって、平面視凹型に形成された設備用スペース５〜９の開口を確実に覆うことができる。
【００２７】
［実施例１］
以下、本実施の形態における建物の間仕切り構造の実施例１について説明する。なお、上述の説明と共通する部分には同一符号を付してその説明を省略ないし簡略化する。
【００２８】
図２〜図５に示す第一空間１は、基準寸法であるモジュールＭに基づいて形成された建物に備えられている。また、この第一空間１は、対向する一対の壁２，３間に形成されている。
ここで、第一空間１を備えた本実施の形態の建物は、例えば単身者向けの比較的狭小なアパート（集合住宅）の一室とされている。より具体的に説明すると、一つの居室（第二空間１３）と、キッチン等のような生活に必要な設備が設けられた部屋（すなわち、第一空間１）とからなる所謂ワンルームタイプの住居を指している。ただし、これに限られるものではなく、複数の部屋を備えた戸建住宅の一部を指していてもよいものとする。
【００２９】
また、本実施の形態のワンルームタイプの建物は、周囲を外壁または界壁等の壁によって囲まれ、複数の間仕切り壁によって仕切られて形成されている。
このような各種壁のうち、前記必要な設備が設けられた部分（第一空間１）を挟んで配置される一対の壁が、前記一対の壁２，３とされている。
【００３０】
また、建物は、必要な設備が設けられた部分である第一空間１だけでなく、さらに、第二空間１３と、玄関１４と、浴室１５と、トイレ１６と、ベランダ１７と、クローゼット１８，１９と、上階用玄関２０と、上階用階段２１と、玄関ポーチ２２と、を備える。
また、この建物は、上階用玄関２０と上階用階段２１と玄関ポーチ２２とを含んだ状態で、平面視において略矩形状に形成されている。そして、図示はしないが、本実施の形態の建物は複数階建てである。
【００３１】
第一空間１は、上述のように直線状の廊下４と、複数の設備用スペース５〜９と、複数の仕切パネル１０と、を有する。
第二空間１３は、上述のように居室であり、リビング・ダイニング・寝室として利用される。この第二空間１３は、廊下４の南端に位置する。すなわち、第一空間１に隣接して配置されている。また、第一空間１と第二空間１３との間には出入口として利用される開口部がある。
玄関１４は、廊下４の北端に位置し、第一空間１に隣接して配置されている。また、第一空間１と玄関との間には出入口として利用される開口部がある。
浴室１５は、第一空間１の北側および玄関１４の西側に配置されている。また、この浴室１５は、第一空間１の一方の領域１ａとの間に出入口を備え、当該一方の領域１ａから行き来することができる。
トイレ１６は、第一空間１の南側であって、かつ廊下４と第二空間１３との間の空間の西側に配置されている。そして、当該廊下４と第二空間１３との間の空間に面して出入口を備える。
ベランダ１７は、第二空間１３の南側に配置されている。
クローゼット１８は、第二空間１３の北側に配置されており、上階用階段２１の階段下に位置する。クローゼット１９は、第二空間１３の南側およびベランダ１７の東側に配置されている。
【００３２】
続いて、第一空間１について詳細に説明する。
廊下４は、南北に長く直線状に形成されている。
第一空間１は一方の領域１ａと他方の領域１ｂとにエリア分けされており、一方の領域１ａは、浴室１５と行き来できるため、本実施例では洗面脱衣所として利用される。また、他方の領域１ｂはキッチンとして利用される。
【００３３】
第一空間１のうち一方の領域１ａには、設備用スペース５，６が配設され、他方の領域１ｂには、設備用スペース７，８，９が配設されている。
また、これら設備用スペース５〜９は、上述のように、一対の壁２，３と複数の袖壁２ａ，３ａとによって平面視凹型の空間として形成されている。
すなわち、一方の領域１ａにある設備用スペース５，６は、壁２と複数の袖壁２ａとによって平面視凹型の空間として形成されている。また、他方の領域１ｂにある設備用スペース７，８，９は、壁３と複数の袖壁３ａとによって平面視凹型の空間として形成されている。
【００３４】
一方の領域１ａを形成する複数の袖壁２ａのうち、設備用スペース５と設備用スペース６との間に位置する袖壁２ａは、当該設備用スペース５と設備用スペース６との間を行き来しやすくするために、また作業スペースを確保するために、他の袖壁２ａよりも壁２からの突出寸法が短く設定されている。
また、一方の領域１ａと浴室１５との間に位置する袖壁２ａには開口部が形成され、当該開口部が浴室１５の出入口とされている。
【００３５】
他方の領域１ｂを形成する複数の袖壁３ａのうち、第二空間１３側に位置する袖壁３ａと、一方の領域１ａとトイレ１６との間に位置する袖壁２ａとは、第一空間１と第二空間１３との間の出入口の開口幅を適切なものとするために、その突出量が適宜調節されている。すなわち、他の袖壁２ａ，３ａよりも若干長く突出している。
また、他方の領域１ｂを形成する複数の袖壁３ａのうち、玄関１４側に位置する袖壁３ａと、一方の領域１ａと浴室１５との間に位置する袖壁２ａとは、第一空間１と玄関１４との間の出入口の開口幅を適切なものとするために、その突出量が適宜調節されている。すなわち、他の袖壁２ａ，３ａよりも若干長く突出している。
なお、このように長さを調整する場合は、その分の寸法に設定された調整材を用いることが望ましい。
【００３６】
設備用スペース５は、筒状に形成されたパイプスペースを含んで構成されており、各種設備として洗面台５ａと図示しない洗濯機とが設置されることによって、洗面所および洗濯機置き場として利用される。なお、洗面所と洗濯機置き場との間に袖壁２ａは設けられていない。
設備用スペース６は、各種設備としてハンガーパイプ６ａや図示しない除湿機とが設置されることによって、室内干しスペースとして利用される。
【００３７】
設備用スペース７は、筒状に形成されたパイプスペースを含んで構成されており、各種設備として図示しない冷蔵庫が設置されることによって、冷蔵庫置き場として利用される。
設備用スペース８は、筒状に形成されたパイプスペースを含んで構成されており、各種設備として図示しない換気付きゴミ箱が設置されることによって、ゴミ置き場として利用される。
設備用スペース９は、各種設備として流し台９ａが設置されることによって、キッチン（調理場）として利用される。
【００３８】
また、廊下４の天井に、複数の仕切パネル１０が吊り下げられるガイドレール１１が設けられている。すなわち、複数の仕切パネル１０は、いわゆる吊り引戸のようにしてガイドレール１１に沿って移動する。
なお、ガイドレール１１は、少なくとも廊下４の四周に配置されている。さらに、複数の仕切パネル１０が、図１に示す各種矢印のような動作を可能とするために必要な図示しないガイドレールも、廊下４の天井に設けられているものとする。
【００３９】
複数の仕切パネル１０は、第一空間１内を、ガイドレール１１に沿ってスライド移動自在とされている。さらに、当該複数の仕切パネル１０は、第一空間１内において水平回転可能とされている。
また、使用される仕切パネル１０の枚数は適宜変更可能である。本実施例では５枚の仕切パネル１０が用いられている。
【００４０】
そして、複数の仕切パネル１０を適宜移動させることで、例えば以下のように第一空間１を間仕切ることができる。
図３に示すように、３枚の仕切パネル１０によって一方の領域１ａと廊下４とを仕切り、一方の領域１ａ内が見えないように遮蔽する。すなわち、設備用スペース５，６を廊下４側から見えないように遮蔽する。
また、２枚の仕切パネル１０によって設備用スペース８，９と廊下４とを仕切り、当該設備用スペース８，９を廊下４側から見えないように遮蔽する。
これによって、来客時に、見られたくない洗面所やキッチンを、複数の仕切パネル１０によって容易に、また即座に遮蔽することができるので、住人が体裁の悪さを感じることを無くすことができる。
【００４１】
図４に示すように、３枚の仕切パネル１０によって他方の領域１ｂと廊下４とを仕切り、他方の領域１ｂ内が見えないように遮蔽する。すなわち、設備用スペース７，８，９を廊下４側から見えないように遮蔽する。
また、１枚の仕切パネル１０によって第一空間１と第二空間１３との間の出入口を閉塞する。また、１枚の仕切パネル１０によって第一空間１と玄関１４との間の出入口を閉塞する。
これによって、室内干しスペースの拡大と室内干しスペースにおける他のスペースからの独立が可能となる。
【００４２】
図５に示すように、３枚の仕切パネル１０によって一方の領域１ａと廊下４とを仕切り、一方の領域１ａ内が見えないように遮蔽する。すなわち、設備用スペース５，６を廊下４側から見えないように遮蔽する。
また、１枚の仕切パネル１０によって第一空間１と第二空間１３との間の出入口を閉塞する。また、１枚の仕切パネル１０によって第一空間１と玄関１４との間の出入口を閉塞する。
これによって、家事動線をスムーズにできるとともに、調理の臭いが他のスペースに漏れにくくなる。
【００４３】
［実施例２］
以下、本実施の形態における建物の間仕切り構造の実施例２について説明する。なお、上述の説明と共通する部分には同一符号を付してその説明を省略ないし簡略化する。
【００４４】
本実施例の建物は、図６に示すように、前記クローゼット１８に相当する箇所のクローゼット１８Ａが、クローゼット兼仕切パネル１０の収納部として利用されている。
なお、廊下４内において移動可能とされた複数の仕切パネル１０を、クローゼット１８Ａに収納するために、当該クローゼット１８Ａの天井および当該クローゼット１８Ａと第一空間１との間のスペースの天井にガイドレール１１Ａが設けられている。
さらに、図６に示す矢印のような動作を可能とするために必要な図示しないガイドレールも、クローゼット１８Ａと第一空間１との間のスペースの天井に設けられているものとする。
【００４５】
以上のようにクローゼット１８Ａを、複数の仕切パネル１０の収納部として利用できれば、複数の仕切パネル１０によって複数の設備用スペース５〜９を遮蔽する必要がないときに、第一空間１内を広く使うことができる。
【００４６】
［実施例３］
以下、本実施の形態における建物の間仕切り構造の実施例３について説明する。なお、上述の説明と共通する部分には同一符号を付してその説明を省略ないし簡略化する。
【００４７】
本実施例の建物は、図７に示すように、前記廊下４の中央に、前記一対の壁２，３と対向する間仕切壁１２が設けられている。
この間仕切壁１２は、建物の他の壁と同様に床等の下部構造に立設固定されており、移動可能とはなっていない。そして、複数の仕切パネル１０は、このような間仕切壁１２の周囲を移動可能に設けられている。
すなわち、廊下４の空間を、間仕切壁１２を境にして、一方の領域１ａ側と、他方の領域１ｂ側とに分けることができる。そして、複数の仕切パネル１０を、間仕切壁１２の周囲を移動させることができるので、当該複数の仕切パネル１０を、廊下４の一方の領域１ａ側と、他方の領域１ｂ側の双方で使用できる。
【００４８】
また、本実施例の壁３Ａは、一部が、平面視において側方に張り出した状態に形成され、これによって、他方の領域１ｂが平面視略Ｌ字状に形成されている。
側方に張り出す部分の壁３Ａａは、平面視略コ字状に形成されている。また、当該コ字状の壁３Ａａに対して袖壁３ａが一体形成されている。
なお、このように一部の壁３Ａａが側方に張り出すため、設備用スペース９Ａ延いては他方の領域１ｂはその分、スペースが広く形成されることになる。広くなった分の用途は任意であり、例えば複数の仕切パネル１０の収納部として使用したり、トイレを配設したりする等、様々な用途が考えられる。
【００４９】
壁３Ａ側の複数の袖壁３ａのうち、真ん中２つの袖壁３ａは、壁３Ａおよび壁３Ａａからの突出寸法が短く設定されている。
そして、複数の仕切パネル１０は、このような突出量の少ない袖壁３ａに対応して移動可能とされている。すなわち、本実施例においては複数の仕切パネル１０は、廊下４の範囲を超えて他方の領域１ｂ側まで移動可能とされている。この場合、複数の仕切パネル１０が、図７に示す位置まで移動可能とするために必要な図示しないガイドレールが、第一空間１の天井に設けられているものとする。
【００５０】
さらに、複数の仕切パネル１０は、突出寸法の異なる袖壁３ａ，３ａ間にも配置することができる。この場合、仕切パネル１０の幅方向一端部が突出寸法の短い袖壁３ａの突出方向側端面に当接し、幅方向他端部が突出寸法の長い袖壁３ａの側面に当接している。
すなわち、仕切パネル１０を、隣り合う袖壁３ａ，３ａ間に亘るように配置すれば、当該仕切パネル１０によって、平面視凹型に形成された設備用スペース７，８，９の開口を確実に覆うことができる。
【００５１】
［仕切パネル１０の変形例］
次に、仕切パネル１０の変形例について説明する。
複数の仕切パネル１０は、上述のように、第一空間１を仕切る矩形板状のパネル、とされているが、これに限られるものではなく、例えば、仕切パネル１０の表裏を連通するための機能を有してもよいものとする。以下、仕切パネルのパターンごとに、付与される符号を変更して説明する。
【００５２】
図８に示す仕切パネル１０Ａ，１０Ｂは、ドアとして用いられる。
仕切パネル１０Ａは、図８（ａ）に示すように、ドア枠１０Ａａと、ドア本体１０Ａｂと、を有する。
ドア枠１０Ａａは矩形枠状に形成されており、ドア本体１０Ａｂは、図示しないヒンジまたは回転軸を介してドア枠１０Ａａに取り付けられている。
なお、ドア枠１０Ａａは、例えばフランス落とし等のような金具を用いることによって、ガイドレール１１および第一空間１の床面に固定可能とされている。この場合、ガイドレール１１および第一空間１の床面に対しては、フランス落とし等の金具に対応する穴等が形成されるものとする。
【００５３】
仕切パネル１０Ｂは、図８（ｂ）に示すように、当該仕切パネル１０Ｂ自体をドアとして用いるものであり、幅方向一端部の上下に回転軸１０Ｂａを有する。
なお、ガイドレール１１および第一空間１の床面に対しては、当該回転軸１０Ｂａに対応する穴等が形成されるものとする。
【００５４】
図９に示す仕切パネル１０Ｃは、いわゆる折戸であり、２枚のパネルをヒンジ１０Ｃａを介して接続するようにして形成されている。さらに、２枚のパネルのうち一方は、図示しない回転軸を有する。
なお、ガイドレール１１および第一空間１の床面に対しては、当該回転軸に対応する穴等が形成されるものとする。
【００５５】
図１０に示す仕切パネル１０Ｄ，１０Ｅは、各種の開口が形成されている。
仕切パネル１０Ｄは、図１０（ａ）に示すように、当該仕切パネル１０Ｄの上端部に開口部１０Ｄａが形成されている。
当該開口部１０Ｄａは欄間として機能するものであり、開口部１０Ｄａには、当該開口部１０Ｄａを開閉する建具１０Ｄｂが取り付けられている。すなわち、建具１０Ｄｂによって開口部１０Ｄａを開閉すれば、仕切パネル１０Ｄで空間を仕切ったまま、換気等を行うことができる。
【００５６】
仕切パネル１０Ｅは、図１０（ｂ）に示すように、当該仕切パネル１０Ｅの上端部および下端部に開口部が形成され、それぞれの開口部には、当該開口部を開閉する建具１０Ｅａ，１０Ｅｂが取り付けられている。
当該仕切パネル１０Ｅの上端部の開口部は例えば覗き窓等として使用したり、換気用の開口として使用したりすることができる。下端部の開口部は犬猫等のペットの通り道等として使用できる。
【００５７】
以上のように仕切パネル１０Ａ〜１０Ｅには、当該仕切パネル１０Ａ〜１０Ｅの表裏を連通するための機能を有するので、当該機能によって、前記仕切パネル１０Ａ〜１０Ｅの表側の空間と裏側の空間とを行き来できるようにしたり、空気を流通させたりすることができる。また、仕切パネル１０Ａ〜１０Ｅにこのような機能があれば、住人のライフスタイルに合わせた間仕切りが可能となるので好ましい。
【００５８】
本実施の形態によれば、複数の仕切パネル１０（１０Ａ〜１０Ｅ）を第一空間１内で移動させて、当該第一空間１を適宜仕切ることができる。すなわち、複数の仕切パネル１０（１０Ａ〜１０Ｅ）によって、廊下４と、当該廊下４の両側に配設される前記複数の設備用スペース５〜９とを仕切ることができる。これによって、複数の仕切パネル１０（１０Ａ〜１０Ｅ）によって、複数の設備用スペース５〜９に設置されたキッチンや水廻り等のための各種設備を目隠しすることができる。また、複数の仕切パネル１０（１０Ａ〜１０Ｅ）による仕切り方次第で、第一空間１内を自由に仕切ることができるので、第一空間１を、住人のライフスタイルに合わせたものとすることができる。
また、隣り合う袖壁２ａ，２ａ（３ａ，３ａ）の突出方向先端部の間隔と複数の仕切パネル１０（１０Ａ〜１０Ｅ）の幅は、モジュールに基づいて設定されているので、仕切パネル１０（１０Ａ〜１０Ｅ）を、隣り合う袖壁２ａ，２ａ（３ａ，３ａ）間に亘るように配置すれば、仕切パネル１０（１０Ａ〜１０Ｅ）によって、平面視凹型に形成された設備用スペース５〜９の開口を確実に覆って、当該設備用スペース５〜９の内部を目隠しすることができる。
【００５９】
また、複数の仕切パネル１０（１０Ａ〜１０Ｅ）をガイドレール１１に沿って正確にスライド移動させて、第一空間１を仕切ることができる。また、複数の仕切パネル１０（１０Ａ〜１０Ｅ）を引戸のようにして使用できる。
【００６０】
また、複数の仕切パネル１０（１０Ａ〜１０Ｅ）を、第一空間１内において水平回転させることで、当該複数の仕切パネル１０（１０Ａ〜１０Ｅ）を例えば開き戸等のように使用できるので、第一空間１内をバリエーション豊かに仕切ることができる。
【００６１】
また、廊下４の一端に第二空間１３が配置され、他端に玄関が１４配置されているので、例えば第一空間１と第二空間１３と玄関１４とで概略構成されるような比較的狭小な建物であっても、第一空間１内を確実に仕切ることができる。
【符号の説明】
【００６２】
１  第一空間
２  壁
３  壁
４  廊下
５  設備用スペース
６  設備用スペース
７  設備用スペース
８  設備用スペース
９  設備用スペース
１０  仕切パネル
【図１】
2015017394.tif 000003
【図２】
2015017394.tif 000004
【図３】
2015017394.tif 000005
【図４】
2015017394.tif 000006
【図５】
2015017394.tif 000007
【図６】
2015017394.tif 000008
【図７】
2015017394.tif 000009
【図８】
2015017394.tif 000010
【図９】
2015017394.tif 000011
【図１０】
2015017394.tif 000012